(57)【特許請求の範囲】
【請求項１】
データフロー再利用送信のための方法であって、
複製ポイント装置が、第１ユーザにより送信された第１データフローリクエストメッセージを受信するステップであって、前記第１データフローリクエストメッセージは第１データフローを要求するのに使用される、受信するステップと、
前記複製ポイント装置が、前記第１データフローリクエストメッセージに従ってサーバから前記第１データフローを取得するステップと、
前記複製ポイント装置が、２つの同一の第１データフローを生成する前記第１データフローを複製するステップと、
前記複製ポイント装置が、前記２つの同一の第１データフローの一方を前記第１ユーザに送信し、前記２つの同一の第１データフローの他方をキャッシュするステップであって、前記キャッシュされたデータフローの各ビットのキャッシュ期間は同一の所定の期間の値を有する、キャッシュするステップと、
前記複製ポイント装置が、第２ユーザにより送信された第２データフローリクエストメッセージを受信するステップであって、前記第２データフローリクエストメッセージは前記第１データフローを要求するのに使用される、受信するステップと、
前記複製ポイント装置が、２つの同一のキャッシュされたデータフローを生成する前記キャッシュされたデータフローを複製するステップと、
前記２つの同一のキャッシュされたデータフローの一方を前記第２ユーザに送信するステップと、
を有する方法。
【請求項２】
データフロー再利用送信のための方法であって、
複製ポイント装置が、所定の期間内に第１ユーザにより送信された第１データフローリクエストメッセージを受信するステップであって、前記第１データフローリクエストメッセージは第１データフローを要求するのに使用され、前記所定の期間はスタート時間とエンド時間との間の期間であり、前記スタート時間と前記エンド時間とが含まれる、受信するステップと、
前記複製ポイント装置が、前記第１データフローリクエストメッセージの受信後に前記所定の期間内に第２ユーザにより送信された第２データフローリクエストメッセージを受信するステップであって、前記第２データフローリクエストメッセージは前記第１データフローを要求するのに使用される、受信するステップと、
前記複製ポイント装置が、現在時間が前記エンド時間に到達した後、サーバから前記第１データフローを要求するステップと、
前記複製ポイント装置が、前記サーバから前記第１データフローを受信するステップと、
前記複製ポイント装置が、２つの同一の第１データフローを生成する前記第１データフローを複製するステップと、
前記複製ポイント装置が、前記２つの同一の第１データフローの一方を前記第１ユーザに送信し、前記２つの同一の第１データフローの他方を前記第２ユーザに送信するステップと、
を有する方法。
【請求項３】
前記第１データフローリクエストメッセージと前記第２データフローリクエストメッセージとに従って、前記第１ユーザと前記第１データフローとの間の第１対応関係と、前記第２ユーザと前記第１データフローとの間の第２対応関係とをそれぞれ確立するステップを更に有する、請求項１記載の方法。
【請求項４】
データフロー再利用送信のための方法であって、
複製ポイント装置が、所定の期間内に第１ユーザにより送信された第１データフローリクエストメッセージを受信するステップであって、前記第１データフローリクエストメッセージは第１データフローを要求するのに使用され、前記所定の期間はスタート時間とエンド時間との間の期間であり、前記スタート時間と前記エンド時間とが含まれる、受信するステップと、
前記複製ポイント装置が、前記第１データフローリクエストメッセージに従ってサーバから前記第１データフローを取得するステップと、
前記複製ポイント装置が、前記第１ユーザに前記第１データフローを送信するステップと、
前記複製ポイント装置が、前記第１データフローを複製及びキャッシュするステップと、
前記複製ポイント装置が、前記所定の期間内に第２ユーザにより送信された第２データフローリクエストメッセージを受信するステップであって、前記第２データフローリクエストメッセージは前記第１データフローを要求するのに使用される、受信するステップと、
前記複製ポイント装置が、前記第１データフローの既存部分を複製するステップであって、前記既存部分は、前記第２データフローリクエストメッセージの受信後に前記複製ポイント装置により受信された前記第１データフローの部分である、複製するステップと、
前記複製ポイント装置が、前記第２ユーザに前記複製された既存部分を送信するステップと、
前記複製ポイント装置が、前記第２データフローリクエストメッセージの受信前にキャッシュされた前記第１データフローを前記第２ユーザに送信するステップと、
を有する方法。
【請求項５】
データフロー再利用送信のための方法であって、
サーバが、所定の期間内に第１ユーザのための第１データフローを要求するのに使用される第１データフローリクエストメッセージを受信するステップであって、前記所定の期間はスタート時間とエンド時間との間の期間であり、前記スタート時間と前記エンド時間とが含まれる、受信するステップと、
前記サーバが、前記第１データフローリクエストメッセージの受信後に所定の期間内に第２ユーザのための前記第１データフローを要求するのに使用される第２データフローリクエストメッセージを受信するステップと、
前記サーバが、現在時間が前記エンド時間に到達した後に複製ポイント装置に前記第１データフローを送信するステップと、
前記複製ポイント装置が、２つの同一の第１データフローを生成する前記第１データフローを複製するステップと、
前記複製ポイント装置が、前記２つの同一の第１データフローの一方を前記第１ユーザに送信し、前記２つの同一の第１データフローの他方を前記第２ユーザに送信するステップと、
を有する方法。
【請求項６】
データフロー再利用送信のための方法であって、
サーバが、所定の期間内に第１ユーザのための第１データフローを要求するのに使用される第１データフローリクエストメッセージを受信するステップであって、前記所定の期間はスタート時間とエンド時間との間の期間であり、前記スタート時間と前記エンド時間とが含まれる、受信するステップと、
前記サーバが、前記第１データフローリクエストメッセージに従って複製ポイント装置に前記第１データフローを送信するステップと、
前記複製ポイント装置が、前記第１ユーザに前記第１データフローを送信し、前記第１データフローを複製及びキャッシュするステップと、
前記サーバが、前記所定の期間内に第２ユーザのための前記第１データフローを要求するのに使用される第２データフローリクエストメッセージを受信するステップと、
前記複製ポイント装置が、前記サーバからの通知の受信後に前記第１データフローの既存部分を複製するステップであって、前記既存部分は、前記第２データフローリクエストメッセージの受信後に前記サーバにより前記複製ポイント装置に送信される前記第１データフローの部分である、複製するステップと、
前記複製ポイント装置が、前記第２ユーザに前記複製された既存部分を送信するステップと、
前記複製ポイント装置が、前記サーバが前記第２データフローリクエストメッセージを受信する前にキャッシュされた前記第１データフローを前記第２ユーザに送信するステップと、
を有する方法。
【請求項７】
データフロー再利用送信のための方法であって、
サーバが、第１ユーザのための第１データフローを要求するのに使用される第１データフローリクエストメッセージを受信するステップと、
前記サーバが、前記第１データフローリクエストメッセージに従って複製ポイント装置に前記第１データフローを送信するステップと、
前記複製ポイント装置が、２つの同一の第１データフローを生成する前記第１データフローを複製するステップと、
前記複製ポイント装置が、前記２つの同一の第１データフローの一方を前記第１ユーザに送信し、前記２つの同一の第１データフローの他方をキャッシュするステップであって、前記キャッシュされたデータフローの各ビットのキャッシュ期間は、同一の所定の期間の値を有する、キャッシュするステップと、
前記サーバが、第２ユーザのための前記第１データフローを要求するのに使用される第２データフローリクエストメッセージを受信するステップと、
前記複製ポイント装置が、前記サーバからの通知の受信後に２つの同一のキャッシュされたデータフローを生成する前記キャッシュされたデータフローを複製するステップと、
前記２つの同一のキャッシュされたデータフローの一方を前記第２ユーザに送信するステップと、
を有する方法。
【請求項８】
第１ユーザにより送信された第１データフローリクエストメッセージを受信するよう構成される第３受信部であって、前記第１データフローリクエストメッセージは第１データフローを要求するのに使用される、第３受信部と、
前記第１データフローリクエストメッセージに従って、サーバから前記第１データフローを取得するよう構成される第２取得部と、
２つの同一の第１データフローを生成する前記第１データフローを複製するよう構成される第３複製部と、
前記２つの同一の第１データフローの一方を前記第１ユーザに送信するよう構成される第３送信部と、
前記２つの同一の第１データフローの他方をキャッシュするよう構成される第２キャッシュ部であって、前記キャッシュされたデータフローの各ビットのキャッシュ期間は同一の所定の期間の値を有する、第２キャッシュ部と、
を有する複製ポイント装置であって、
前記第３受信部は更に、第２ユーザにより送信された第２データフローリクエストメッセージを受信するよう構成され、前記第２データフローリクエストメッセージは前記第１データフローを要求するのに使用され、
前記第３複製部は更に、２つの同一のキャッシュされたデータフローを生成する前記キャッシュされたデータフローを複製するよう構成され、
前記第３送信部は更に、前記２つの同一のキャッシュされたデータフローの一方を前記第２ユーザに送信するよう構成され、
前記第３送信部は更に、前記キャッシュされた第１データフローを前記第２ユーザに送信するよう構成される複製ポイント装置。
【請求項９】
所定の期間内に第１ユーザにより送信された第１データフローリクエストメッセージを受信するよう構成される第１受信部であって、前記第１データフローリクエストメッセージは第１データフローを要求するのに使用され、前記所定の期間はスタート時間とエンド時間との間の期間であり、前記スタート時間と前記エンド時間とが含まれ、
更に前記第１データフローリクエストメッセージの受信後に前記所定の期間内に第２ユーザにより送信された第２データフローリクエストメッセージを受信するよう構成され、前記第２データフローリクエストメッセージは前記第１データフローを要求するのに使用される、第１受信部と、
現在時間が前記エンド時間に到達した後にサーバから前記第１データフローを要求するよう構成される第１要求部であって、前記第１受信部は更に、前記サーバから前記第１データフローを受信するよう構成される、第１要求部と、
２つの同一の第１データフローを生成する前記第１データフローを複製するよう構成される第１複製部と、
前記２つの同一の第１データフローの一方を前記第１ユーザに送信し、前記２つの同一の第１データフローの他方を前記第２ユーザに送信するよう構成される第１送信部と、
を有する複製ポイント装置。
【請求項１０】
前記第１データフローリクエストメッセージと前記第２データフローリクエストメッセージとのそれぞれに従って、前記第１ユーザと前記第１データフローとの間の第１対応関係と、前記第２ユーザと前記第１データフローとの間の第２対応関係とを確立するよう構成される第１確立部を更に有する、請求項９記載の複製ポイント装置。
【請求項１１】
所定の期間内に第１ユーザにより送信された第１データフローリクエストメッセージを受信するよう構成される第２受信部であって、前記第１データフローリクエストメッセージは第１データフローを要求するのに使用され、前記所定の期間はスタート時間とエンド時間との間の期間であり、前記スタート時間と前記エンド時間とが含まれる、第２受信部と、
前記第１データフローリクエストメッセージに従ってサーバから前記第１データフローを取得するよう構成される第１取得部と、
前記第１データフローを前記第１ユーザに送信するよう構成される第２送信部と、
前記第１データフローを複製するよう構成される第２複製部と、
前記第１データフローをキャッシュするよう構成される第１キャッシュ部と、
を有する複製ポイント装置であって、
前記第２受信部は更に、前記所定の期間内に第２ユーザにより送信された第２データフローリクエストメッセージを受信するよう構成され、前記第２データフローリクエストメッセージは前記第１データフローを要求するのに使用され、
前記第２複製部は更に、前記第１データフローの既存部分を複製するよう構成され、前記既存部分は、前記第２データフローリクエストメッセージの受信後に当該複製ポイント装置により受信される前記第１データフローの部分であり、
前記第２送信部は更に、前記複製された既存部分を前記第２ユーザに送信するよう構成され、
前記第２送信部は更に、前記第２データフローリクエストメッセージの受信前にキャッシュされた前記第１データフローを前記第２ユーザに送信するよう構成される複製ポイント装置。
【請求項１２】
データフロー再利用送信のためのシステムであって、
複製ポイント装置とサーバとを有し、
前記サーバは、所定の期間内に第１ユーザのための第１データフローを要求するのに使用される第１データフローリクエストメッセージを受信するよう構成され、前記所定の期間はスタート時間とエンド時間との間の期間であり、前記スタート時間と前記エンド時間とが含まれ、前記第１データフローリクエストメッセージの受信後に前記所定の期間内に第２ユーザのための前記第１データフローを要求するのに使用される第２データフローリクエストメッセージを受信し、現在時間が前記エンド時間に到達した後に前記第１データフローを前記複製ポイント装置に送信するよう構成され、
前記複製ポイント装置は、２つの同一の第１データフローを生成する前記第１データフローを複製し、前記２つの同一の第１データフローの一方を前記第１ユーザに送信し、前記２つの同一の第１データフローの他方を前記第２ユーザに送信するよう構成されるシステム。
【請求項１３】
データフロー再利用送信のためのシステムであって、
複製ポイント装置とサーバとを有し、
前記サーバは、所定の期間内に第１ユーザのための第１データフローを要求するのに使用される第１データフローリクエストメッセージを受信するよう構成され、前記所定の期間はスタート時間とエンド時間との間の期間であり、前記スタート時間と前記エンド時間とが含まれ、前記サーバは、前記第１データフローリクエストメッセージに従って前記第１データフローを前記複製ポイント装置に送信するよう構成され、
前記複製ポイント装置が、前記第１データフローを前記第１ユーザに送信し、前記第１データフローを複製及びキャッシュするよう構成され、
前記サーバが更に、前記所定の期間内に第２ユーザのための前記第１データフローを要求するのに使用される第２データフローリクエストメッセージを受信するよう構成され、
前記複製ポイント装置が更に、前記サーバからの通知の受信後に前記第１データフローの既存部分を複製するよう構成され、前記既存部分は、前記第２データフローリクエストメッセージの受信後に前記サーバにより前記複製ポイント装置に送信された前記第１データフローの部分であり、前記複製ポイント装置は更に、前記複製された既存部分を前記第２ユーザに送信し、前記サーバが前記第２データフローリクエストメッセージの受信前にキャッシュされた前記第１データフローを前記第２ユーザに送信するよう構成されるシステム。
【請求項１４】
データフロー再利用送信のためのシステムであって、
複製ポイント装置とサーバとを有し、
前記サーバが、第１ユーザから第１データフローを要求するのに使用される第１データフローリクエストメッセージを受信し、前記第１データフローリクエストメッセージに従って前記第１データフローを複製ポイント装置に送信するよう構成され、
前記複製ポイント装置が、２つの同一の第１データフローを生成する前記第１データフローを複製し、前記２つの同一の第１データフローの一方を前記第１ユーザに送信し、前記２つの同一の第１データフローの他方をキャッシュするよう構成され、前記キャッシュされたデータフローの各ビットのキャッシュ期間は、同一の所定の期間の値を有し、
前記サーバが更に、第２ユーザのための前記第１データフローを要求するのに使用される第２データフローリクエストメッセージを受信するよう構成され、
前記複製ポイント装置が更に、前記サーバからの通知の受信後に２つの同一のキャッシュされたデータフローを生成する前記キャッシュされたデータフローを複製し、前記２つの同一のキャッシュされたデータフローの一方を前記第２ユーザに送信するよう構成されるシステム。
【発明の詳細な説明】
【技術分野】
【０００１】
本発明は、通信技術の分野に関し、特にデータフロー再利用送信のための方法、複製ポイント装置及びシステムに関する。
【背景技術】
【０００２】
一般に広帯域幅データフローであるビデオデータフローは、ネットワーク帯域幅に対してかなり大きな需要を有する。また、大きなファイルのダウンロードもまた、ネットワーク帯域幅に対してかなり大きな需要を有する。広帯域幅データフローのタイプ数とユーザ数とが増大するに従って、より多くのネットワーク帯域幅リソースが消費され、ネットワークの輻輳を容易に導き、これにより、データフロー配信クオリティを低下させ、ユーザ体感を損なわせる。
【０００３】
現在、ネットワーク帯域幅リソースを最適化するため、フロー再利用のための方法が採用可能である。データフロー再利用は、同一のリクエストを有するユーザ間におけるデータフローの共有を表す。データフロー再利用のための従来技術が利用されるとき、複数のユーザからの同一のリクエストの受信後、サーバは、データのコンテンツを同一のリクエストを有するユーザにマルチキャストモードで送信する。
【０００４】
従来技術は、少なくとも以下の問題点を有する。
【０００５】
データフロー再利用のための従来の方法が利用されるとき、サーバは、データのコンテンツをフロー再利用のニーズを有するユーザにマルチキャストモードにより送信し、これは、実装が複雑化する複数の装置上でマルチキャストプロトコルを実行することが必要となる。
【発明の概要】
【０００６】
本発明の一態様は、よりシンプルでより効率的なデータフロー再利用を実現するデータフロー再利用送信のための方法、複製ポイント装置及びシステムを提供する。
【０００７】
本発明の一態様は、以下の技術的手段を採用する。
【０００８】
複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間とエンド時間とが含まれ、
複製ポイント装置が、第１データフローリクエストメッセージの受信後に所定の期間内に第２ユーザにより送信された第２データフローリクエストメッセージを受信する。ここで、第２データフローリクエストメッセージは第１データフローを要求するのに使用され、
複製ポイント装置が、現在時間がエンド時間に到達した後、サーバから第１データフローを要求し、
複製ポイント装置が、サーバから第１データフローを受信し、
複製ポイント装置が、２つの同一の第１データフローを生成する第１データフローを複製し、
複製ポイント装置が、２つの同一の第１データフローの一方を第１ユーザに送信し、２つの同一の第１データフローの他方を第２ユーザに送信する。
【０００９】
本発明の一態様は、以下の技術的手段を採用する。
【００１０】
複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間と前記エンド時間とが含まれ、
複製ポイント装置が、第１データフローリクエストメッセージに従ってサーバから第１データフローを取得し、
複製ポイント装置が、第１ユーザに第１データフローを送信し、
複製ポイント装置が、第１データフローを複製及びキャッシュし、
複製ポイント装置が、所定の期間内に第２ユーザにより送信された第２データフローリクエストメッセージを受信する。ここで、第２データフローリクエストメッセージは第１データフローを要求するのに使用され、
複製ポイント装置が、第１データフローの既存部分を複製する。ここで、既存部分は、第２データフローリクエストメッセージの受信後に複製ポイント装置により受信された第１データフローの部分であり、
複製ポイント装置が、第２ユーザに複製された既存部分を送信し、
複製ポイント装置が、第２データフローリクエストメッセージの受信前にキャッシュされた第１データフローを第２ユーザに送信する。
【００１１】
本発明の一態様は、以下の技術的手段を採用する。
【００１２】
複製ポイント装置が、第１ユーザにより送信された第１データフローリクエストメッセージを受信する。ここで、第１データフローリクエストメッセージは第１データフローを要求するのに使用され、
複製ポイント装置が、第１データフローリクエストメッセージに従ってサーバから第１データフローを取得し、
複製ポイント装置が、２つの同一の第１データフローを生成する第１データフローを複製し、
複製ポイント装置が、２つの同一の第１データフローの一方を第１ユーザに送信し、２つの同一の第１データフローの他方をキャッシュする。ここで、キャッシュされたデータフローの各ビットのキャッシュ期間は、同一の所定の期間の値を有し、
複製ポイント装置が、第２ユーザにより送信された第２データフローリクエストメッセージを受信する。ここで、第２データフローリクエストメッセージは第１データフローを要求するのに使用され、
複製ポイント装置が、２つの同一のキャッシュされたデータフローを生成するキャッシュされたデータフローを複製し、
２つの同一のキャッシュされたデータフローの１つを第２ユーザに送信する。
【００１３】
本発明の一態様は、以下の技術的手段を採用する。
【００１４】
サーバが、所定の期間内に第１ユーザのための第１データフローを要求するのに使用される第１データフローリクエストメッセージを受信する。ここで、所定の期間はスタート時間とエンド時間との間の期間であり、スタート時間とエンド時間とが含まれ、
サーバが、第１データフローリクエストメッセージの受信後に所定の期間内に第２ユーザのための第１データフローを要求するのに使用される第２データフローリクエストメッセージを受信し、
サーバが、現在時間がエンド時間に到達した後に複製ポイント装置に第１データフローを送信し、
複製ポイント装置が、２つの同一の第１データフローを生成する第１データフローを複製し、
複製ポイント装置が、２つの同一の第１データフローの一方を第１ユーザに送信し、２つの同一の第１データフローの他方を第２ユーザに送信する。
【００１５】
本発明の一態様は、以下の技術的手段を採用する。
【００１６】
サーバが、所定の期間内に第１ユーザのための第１データフローを要求するのに使用される第１データフローリクエストメッセージを受信する。ここで、所定の期間はスタート時間とエンド時間との間の期間であり、スタート時間とエンド時間とが含まれ、
サーバが、第１データフローリクエストメッセージに従って複製ポイント装置に第１データフローを送信し、
複製ポイント装置が、第１ユーザに第１データフローを送信し、第１データフローを複製及びキャッシュし、
サーバが、所定の期間内に第２ユーザのための第１データフローを要求するのに使用される第２データフローリクエストメッセージを受信し、
複製ポイント装置が、サーバからの通知の受信後に第１データフローの既存部分を複製する。ここで、既存部分は、第２データフローリクエストメッセージの受信後にサーバにより複製ポイント装置に送信される第１データフローの部分であり、
複製ポイント装置が、第２ユーザに複製された既存部分を送信し、
複製ポイント装置が、サーバが第２データフローリクエストメッセージを受信する前にキャッシュされた第１データフローを第２ユーザに送信する。
【００１７】
本発明の一態様は、以下の技術的手段を採用する。
【００１８】
サーバが、第１ユーザのための第１データフローを要求するのに使用される第１データフローリクエストメッセージを受信し、
サーバが、第１データフローリクエストメッセージに従って複製ポイント装置に第１データフローを送信し、
複製ポイント装置が、２つの同一の第１データフローを生成する第１データフローを複製し、
複製ポイント装置が、２つの同一の第１データフローの一方を第１ユーザに送信し、２つの同一の第１データフローの他方をキャッシュする。ここで、キャッシュされたデータフローの各ビットのキャッシュ期間は、同一の所定の期間の値を有し、
サーバが、第２ユーザのための第１データフローを要求するのに使用される第２データフローリクエストメッセージを受信し、
複製ポイント装置が、サーバからの通知の受信後に２つの同一のキャッシュされたデータフローを生成するキャッシュされたデータフローを複製し、
２つの同一のキャッシュされたデータフローの一方を第２ユーザに送信する。
【００１９】
本発明の一態様は、以下の技術的手段を採用する。
【００２０】
所定の期間内に第１ユーザにより送信された第１データフローリクエストメッセージを受信するよう構成される第１受信部であって、第１データフローリクエストメッセージは第１データフローを要求するのに使用され、所定の期間はスタート時間とエンド時間との間の期間であり、スタート時間とエンド時間とが含まれ、
更に第１データフローリクエストメッセージの受信後に所定の期間内に第２ユーザにより送信された第２データフローリクエストメッセージを受信するよう構成され、第２データフローリクエストメッセージは第１データフローを要求するのに使用される、第１受信部と、
現在時間がエンド時間に到達した後にサーバから第１データフローを要求するよう構成される第１要求部であって、第１受信部は更に、サーバから第１データフローを受信するよう構成される、第１要求部と、
２つの同一の第１データフローを生成する第１データフローを複製するよう構成される第１複製部と、
２つの同一の第１データフローの一方を第１ユーザに送信し、２つの同一の第１データフローの他方を第２ユーザに送信するよう構成される第１送信部と、
を有する。
【００２１】
本発明の一態様は、以下の技術的手段を採用する。
【００２２】
所定の期間内に第１ユーザにより送信された第１データフローリクエストメッセージを受信するよう構成される第２受信部であって、第１データフローリクエストメッセージは第１データフローを要求するのに使用され、所定の期間はスタート時間とエンド時間との間の期間であり、スタート時間とエンド時間とが含まれる、第２受信部と、
第１データフローリクエストメッセージに従ってサーバから第１データフローを取得するよう構成される第１取得部と、
第１データフローを第１ユーザに送信するよう構成される第２送信部と、
第１データフローを複製するよう構成される第２複製部と、
第１データフローをキャッシュするよう構成される第１キャッシュ部と、
を有する複製ポイント装置であって、
第２受信部は更に、所定の期間内に第２ユーザにより送信された第２データフローリクエストメッセージを受信するよう構成され、第２データフローリクエストメッセージは第１データフローを要求するのに使用され、
第２複製部は更に、第１データフローの既存部分を複製するよう構成され、既存部分は、第２データフローリクエストメッセージの受信後に当該複製ポイント装置により受信される第１データフローの部分であり、
第２送信部は更に、複製された既存部分を第２ユーザに送信するよう構成され、
第２送信部は更に、第２データフローリクエストメッセージの受信前にキャッシュされた第１データフローを第２ユーザに送信するよう構成される。
【００２３】
本発明の一態様は、以下の技術的手段を採用する。
【００２４】
第１ユーザにより送信される第１データフローリクエストメッセージを受信するよう構成される第３受信部であって、第１データフローリクエストメッセージは第１データフローを要求するのに使用される、第３受信部と、
第１データフローリクエストメッセージに従ってサーバから第１データフローを取得するよう構成される第２取得部と、
２つの同一の第１データフローを生成する第１データフローを複製するよう構成される第３複製部と、
２つの同一の第１データフローの一方を第１ユーザに送信するよう構成される第３送信部と、
２つの同一の第１データフローの他方をキャッシュするよう構成される第２キャッシュ部であって、キャッシュされるデータフローの各ビットのキャッシュ期間は同一の所定の期間の値を有する、第２キャッシュ部と、
を有する複製ポイント装置であって、
第３受信部は更に、第２ユーザにより送信された第２データフローリクエストメッセージを受信するよう構成され、第２データフローリクエストメッセージは第１データフローを要求するのに使用され、
第３複製部は更に、２つの同一のキャッシュされたデータフローを生成するキャッシュされたデータフローを複製するよう構成され、
第３送信部は更に、２つの同一のキャッシュされたデータフローの一方を第２ユーザに送信し、キャッシュされた第１データフローを第２ユーザに送信するよう構成される。
【００２５】
本発明の一態様は、以下の技術的手段を採用する。
【００２６】
サーバは、所定の期間内に第１ユーザのための第１データフローを要求するのに使用される第１データフローリクエストメッセージを受信するよう構成され、所定の期間はスタート時間とエンド時間との間の期間であり、スタート時間とエンド時間とが含まれ、
サーバは、第１データフローリクエストメッセージの受信後に所定の期間内に第２ユーザのための第１データフローを要求するのに使用される第２データフローリクエストメッセージを受信し、
サーバは、現在時間がエンド時間に到達した後に第１データフローを複製ポイント装置に送信し、
複製ポイント装置は、２つの同一の第１データフローを生成する第１データフローを複製し、
複製ポイント装置は、２つの同一の第１データフローの一方を第１ユーザに送信し、２つの同一の第１データフローの他方を第２ユーザに送信する。
【００２７】
本発明の一態様は、以下の技術的手段を採用する。
【００２８】
サーバは、所定の期間内に第１ユーザのための第１データフローを要求するのに使用される第１データフローリクエストメッセージを受信するよう構成され、所定の期間はスタート時間とエンド時間との間の期間であり、スタート時間とエンド時間とが含まれ、
サーバは、第１データフローリクエストメッセージに従って第１データフローを複製ポイント装置に送信し、
複製ポイント装置が、第１データフローを第１ユーザに送信し、第１データフローを複製及びキャッシュするよう構成され、
サーバが、所定の期間内に第２ユーザのための第１データフローを要求するのに使用される第２データフローリクエストメッセージを受信し、
複製ポイント装置が、サーバからの通知の受信後に第１データフローの既存部分を複製し、既存部分は、第２データフローリクエストメッセージの受信後にサーバにより複製ポイント装置に送信された第１データフローの部分であり、
複製ポイント装置は、複製された既存部分を第２ユーザに送信し、
複製ポイント装置は、サーバが第２データフローリクエストメッセージの受信前にキャッシュされた第１データフローを第２ユーザに送信するよう構成される。
【００２９】
本発明の一態様は、以下の技術的手段を採用する。
【００３０】
サーバが、第１ユーザから第１データフローを要求するのに使用される第１データフローリクエストメッセージを受信し、
サーバが、第１データフローリクエストメッセージに従って第１データフローを複製ポイント装置に送信し、
複製ポイント装置が、２つの同一の第１データフローを生成する第１データフローを複製し、
複製ポイント装置が、２つの同一の第１データフローの一方を第１ユーザに送信し、２つの同一の第１データフローの他方をキャッシュするよう構成され、キャッシュされたデータフローの各ビットのキャッシュ期間は、同一の所定の期間の値を有し、
サーバが、第２ユーザのための第１データフローを要求するのに使用される第２データフローリクエストメッセージを受信し、
複製ポイント装置が、サーバからの通知の受信後に２つの同一のキャッシュされたデータフローを生成するキャッシュされたデータフローを複製し、
２つの同一のキャッシュされたデータフローの一方を第２ユーザに送信するよう構成される。
【００３１】
従来技術と比較して、本発明の一態様により提供されるデータフロー再利用送信のための方法、複製ポイント装置及びシステムは、複数の装置上で複雑なマルチキャストプロトコルを実行することを要求せず、よりシンプルでより効率的なデータフロー再利用を実現可能である。
【図面の簡単な説明】
【００３２】
本発明の実施例における技術的手段をより明確に説明するため、以下において、実施例又は従来技術を説明するのに必要とされる添付した図面が簡単に紹介される。明らかに、以下の説明における添付した図面は、本発明のいくつかの実施例を単に示すものであり、当業者は、依然として創作的な努力なくこれらの添付した図面から他の図面を導出してもよい。
【図１】図１は、本発明の実施例１による方法のフローチャートである。
【図２】図２は、本発明の実施例２による方法のフローチャートである。
【図３】図３は、本発明の実施例３による方法のフローチャートである。
【図４】図４は、本発明の実施例４による方法のフローチャートである。
【図５】図５は、本発明の実施例５による方法のフローチャートである。
【図６】図６は、本発明の実施例６による方法のフローチャートである。
【図７】図７は、本発明の実施例７による方法のフローチャートである。
【図８】図８は、本発明の実施例８による方法のフローチャートである。
【図９】図９は、本発明の実施例９による方法のフローチャートである。
【図１０】図１０は、本発明の実施例１０による方法のフローチャートである。
【図１１】図１１は、本発明の実施例１１による方法のフローチャートである。
【図１２】図１２は、本発明の実施例１２による方法のフローチャートである。
【図１３】図１３は、本発明の実施例１３による方法のフローチャートである。
【図１４】図１４は、本発明の実施例１４による方法のフローチャートである。
【図１５】図１５は、本発明の実施例１５による方法のフローチャートである。
【図１６】図１６は、本発明の実施例１６による方法のフローチャートである。
【図１７】図１７は、本発明の実施例１７による方法のフローチャートである。
【図１８】図１８は、本発明の実施例１８による方法のフローチャートである。
【図１９】図１９は、本発明の実施例１９による複製ポイント装置の概略的な構成図である。
【図２０】図２０は、本発明の実施例１９による複製ポイント装置の概略的な構成図である。
【図２１】図２１は、本発明の実施例２０による複製ポイント装置の概略的な構成図である。
【図２２】図２２は、本発明の実施例２０による複製ポイント装置の概略的な構成図である。
【図２３】図２３は、本発明の実施例２１による複製ポイント装置の概略的な構成図である。
【図２４】図２４は、本発明の実施例２１による複製ポイント装置の概略的な構成図である。
【図２５】図２５は、本発明の実施例２２によるシステムの概略的な構成図である。
【図２６】図２６は、本発明の実施例２３によるシステムの概略的な構成図である。
【図２７】図２５は、本発明の実施例２４によるシステムの概略的な構成図である。
【発明を実施するための形態】
【００３３】
以下において、本発明の実施例の天応図面を参照して、本発明の実施例の技術的手段が明確かつ完全に説明される。明らかに、説明される実施例は、本発明の実施例の全てというより単なる一部である。
【００３４】
本発明の技術的手段をより明らかにするため、以下において、添付した図面及び実施例を参照して本発明の詳細な説明が提供される。
【００３５】
［実施例１］
本実施例は、データフロー再利用送信のための方法を提供する。図１に示されるように、本方法は以下を含む。
１０１．複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間とエンド時間とが含まれる。
１０２．複製ポイント装置が、第１データフローリクエストメッセージの受信後に所定の期間内に第２ユーザにより送信された第２データフローリクエストメッセージを受信する。第２データフローリクエストメッセージは第１データフローを要求するのに使用される。
１０３．複製ポイント装置が、現在時間がエンド時間に到達した後、サーバから第１データフローを要求する。
１０４．複製ポイント装置が、サーバから第１データフローを受信する。
１０５．複製ポイント装置が、第１データフローを複製し、２つの同一の第１データフローを生成する。
１０６．複製ポイント装置が、２つの同一の第１データフローの一方を第１ユーザに送信し、２つの同一の第１データフローの他方を第２ユーザに送信する。
【００３６】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００３７】
［実施例２］
本実施例は、データフロー再利用送信のための方法を提供する。図２に示されるように、本方法は以下の通りである。
２０１．複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間とエンド時間とが含まれる。
２０２．複製ポイント装置が、第１データフローリクエストメッセージの受信後に所定の期間内に第２ユーザにより送信された第２データフローリクエストメッセージを受信する。ここで、第２データフローリクエストメッセージは第１データフローを要求するのに使用される。
２０３．複製ポイント装置が、現在時間がエンド時間に到達した後、サーバから第１データフローを要求する。
２０４．複製ポイント装置が、サーバから第１データフローを受信する。
２０５．複製ポイント装置が、第１データフローを複製し、２つの同一の第１データフローを生成する。
２０６．複製ポイント装置が、第１ユーザと第１データフローとの間の第１対応関係と、第２ユーザと第１データフローとの間の第２対応関係とに従って、２つの同一の第１データフローの一方を第１ユーザに送信し、２つの同一の第１データフローの他方を第２ユーザに送信する。
【００３８】
好ましくは、第１対応関係と第２対応関係とはそれぞれ、受信した第１データフローリクエストメッセージと受信した第２データフローリクエストメッセージとに従って複製ポイント装置により確立される。第１対応関係と第２対応関係とは、対応関係テーブルに格納されてもよい。
【００３９】
［実施例３］
図３に示されるように、他の方法の実施例は以下の通りである。
３０１．複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間とエンド時間とが含まれる。
３０２．複製ポイント装置が、第１ユーザの第１データフローリクエストメッセージの受信後に所定の期間内に第２ユーザにより送信された第２データフローリクエストメッセージを受信する。ここで、第２ユーザからの第２データフローリクエストメッセージは同一のデータフローを要求するのに使用される。
３０３．複製ポイント装置が、現在時間がエンド時間に到達した後、サーバからデータフローを要求する。
３０４．複製ポイント装置が、サーバからデータフローを受信する。複製ポイント装置は、データフローを複製し、２つの同一のデータフローを生成する。
３０５．複製ポイント装置が、第１ユーザと第１データフローとの間の第１対応関係と、第２ユーザと第１データフローとの間の第２対応関係とに従って、２つの同一の第１データフローの一方を第１ユーザに送信し、２つの同一の第１データフローの他方を第２ユーザに送信する。ここで、第１対応関係と第２対応関係とはそれぞれ予め確立され、好ましくは、第１ユーザの第１データフローリクエストメッセージと第２ユーザの第２データフローリクエストメッセージとのそれぞれに従って、複製ポイント装置により確立されてもよい。
【００４０】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００４１】
［実施例４］
本実施例は、データフロー再利用送信のための方法を提供する。図４に示されるように、本方法は以下を含む。
４０１．複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間とエンド時間とが含まれる。
４０２．複製ポイント装置が、第１データフローリクエストメッセージに従ってサーバから第１データフローを取得する。
４０３．複製ポイント装置が、第１ユーザに第１データフローを送信する。
４０４．複製ポイント装置が、第１データフローを複製及びキャッシュする。
【００４２】
好ましくは、４０３，４０４は何れかの順序に限定されるものでない。４０３，４０４の何れか一方が最初に実行されてもよく、あるいは、４０３，４０４の双方が同時に実行されてもよい。
４０５．複製ポイント装置が、所定の期間内に第２ユーザにより送信された第２データフローリクエストメッセージを受信する。ここで、第２データフローリクエストメッセージは第１データフローを要求するのに使用される。
４０６．複製ポイント装置が、第１データフローの既存部分を複製する。ここで、既存部分は、第２データフローリクエストメッセージの受信後に複製ポイント装置により受信された第１データフローの部分である。
４０７．複製ポイント装置が、第２ユーザに複製された既存部分を送信する。
４０８．複製ポイント装置が、第２データフローリクエストメッセージの受信前にキャッシュされた第１データフローを第２ユーザに送信する。
【００４３】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００４４】
［実施例５］
本実施例は、データフロー再利用のための方法を提供する。図５に示されるように、本方法は以下を含む。
５０１．複製ポイント装置が、所定の期間内に第１ユーザにより送信された第１データフローリクエストメッセージを受信する。ここで、第１データフローリクエストメッセージは第１データフローを要求するのに使用され、所定の期間はスタート時間とエンド時間との間の期間であり、スタート時間とエンド時間とが含まれる。
５０２．複製ポイント装置が、第１データフローリクエストメッセージに従ってサーバから第１データフローを取得する。
５０３．複製ポイント装置が、第１ユーザと第１データフローとの間の第１対応関係に従って、第１ユーザに第１データフローを送信する。
５０４．複製ポイント装置が、第１データフローを複製及びキャッシュする。
【００４５】
好ましくは、５０３，５０４は何れかの順序に限定されるものでない。５０３，５０４の何れか一方が最初に実行されてもよく、あるいは、５０３，５０４の双方が同時に実行されてもよい。
５０５．複製ポイント装置が、所定の期間内に第２ユーザにより送信された第２データフローリクエストメッセージを受信する。ここで、第２データフローリクエストメッセージは第１データフローを要求するのに使用される。
５０６．複製ポイント装置が、第１データフローの既存部分を複製する。ここで、既存部分は、第２データフローリクエストメッセージの受信後に複製ポイント装置により受信された第１データフローの部分である。
５０７．複製ポイント装置が、第２ユーザと第１データフローとの間の第２対応関係に従って、第２ユーザに複製された既存部分を送信する。
５０８．複製ポイント装置が、第２ユーザと第１データフローとの間の第２対応関係に従って、第２データフローリクエストメッセージの受信前にキャッシュされた第１データフローを第２ユーザに送信する。
【００４６】
好ましくは、５０７，５０８は何れかの順序に限定されるものでない。
【００４７】
好ましくは、第１対応関係と第２対応関係とはそれぞれ、受信した第１データフローリクエストメッセージと受信した第２データフローリクエストメッセージとに従って複製ポイント装置により確立される。第１対応関係と第２対応関係とは、対応関係テーブルに格納されてもよい。
【００４８】
［実施例６］
図６に示されるように、他の方法の実施例は以下の通りである。
６０１．複製ポイント装置が、所定の期間内に第１ユーザの第１データフローリクエストメッセージを受信する。ここで、所定の期間はスタート時間とエンド時間との間の期間であり、スタート時間とエンド時間とが含まれる。
６０２．複製ポイント装置が、第１ユーザの第１データフローリクエストメッセージに従ってサーバから第１データフローを要求する。
６０３．複製ポイント装置が、サーバにより送信されるデータフローを受信する。
６０４．複製ポイント装置が、第１ユーザにデータフローを送信し、第１ユーザとデータフローとの間の第１対応関係に従って、データフローを複製及びキャッシュする。
６０５．複製ポイント装置が、所定の期間内に第２ユーザにより送信された第２データフローリクエストメッセージを受信する。ここで、第２データフローリクエストメッセージは同一のデータフローを要求する。
６０６．複製ポイント装置が、データフローの既存部分を複製する。ここで、既存部分は、第２データフローリクエストメッセージの受信後に複製ポイント装置により受信されたデータフローの部分である。
６０７．複製ポイント装置が、第２ユーザとデータフローとの間の第２対応関係に従って、第２ユーザに複製された既存部分を送信し、第２ユーザからのデータフローリクエストメッセージの受信前にキャッシュされたデータフローを第２ユーザに送信する。
【００４９】
好ましくは、第１対応関係と第２対応関係とはそれぞれ、受信した第１データフローリクエストメッセージと受信した第２データフローリクエストメッセージとに従って複製ポイント装置により確立される。第１対応関係と第２対応関係とは、対応関係テーブルに格納されてもよい。
【００５０】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００５１】
［実施例７］
本実施例は、データフロー再利用送信のための方法を提供する。図７に示されるように、本方法は以下を含む。
７０１．複製ポイント装置が、第１ユーザにより送信された第１データフローリクエストメッセージを受信する。ここで、第１データフローリクエストメッセージは第１データフローを要求するのに使用される。
７０２．複製ポイント装置が、第１データフローリクエストメッセージに従ってサーバから第１データフローを取得する。
７０３．複製ポイント装置が、２つの同一の第１データフローを生成する第１データフローを複製する。
７０４．複製ポイント装置が、２つの同一の第１データフローの一方を第１ユーザに送信する。
７０５．複製ポイント装置が、２つの同一の第１データフローの他方をキャッシュする。ここで、キャッシュされたデータフローの各ビットのキャッシュ期間は、同一の所定の期間の値を有する。
【００５２】
７０４，７０５は、何れかの順序に限定されるものでない。
７０６．複製ポイント装置が、第２ユーザにより送信された第２データフローリクエストメッセージを受信する。ここで、第２データフローリクエストメッセージは第１データフローを要求するのに使用される。
７０７．複製ポイント装置が、２つの同一のキャッシュされたデータフローを生成するキャッシュされたデータフローを複製する。
７０８．２つの同一のキャッシュされたデータフローの１つを第２ユーザに送信する。
【００５３】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００５４】
［実施例８］
本発明の実施例は、データフロー再利用送信のための方法を提供する。図８に示されるように、本方法は以下を含む。
８０１．複製ポイント装置が、第１ユーザにより送信された第１データフローリクエストメッセージを受信する。ここで、第１データフローリクエストメッセージは第１データフローを要求するのに使用される。
８０２．複製ポイント装置が、第１データフローリクエストメッセージに従ってサーバから第１データフローを取得する。
８０３．複製ポイント装置が、２つの同一の第１データフローを生成する第１データフローを複製する。
８０４．複製ポイント装置が、第１ユーザと第１データフローとの間の第１対応関係に従って、２つの同一の第１データフローの一方を第１ユーザに送信する。
８０５．複製ポイント装置が、２つの同一の第１データフローの他方をキャッシュする。ここで、キャッシュされたデータフローの各ビットのキャッシュ期間は、同一の所定の期間の値を有する。
【００５５】
８０４，８０５は、何れかの順序に限定されるものでない。
８０６．複製ポイント装置が、第２ユーザにより送信された第２データフローリクエストメッセージを受信する。ここで、第２データフローリクエストメッセージは第１データフローを要求するのに使用される。
８０７．複製ポイント装置が、２つの同一のキャッシュされたデータフローを生成するキャッシュされたデータフローを複製する。
８０８．複製ポイント装置が、第２ユーザと第１データフローとの間の第２対応関係に従って、２つの同一のキャッシュされたデータフローの１つを第２ユーザに送信する。
【００５６】
好ましくは、第１対応関係と第２対応関係とはそれぞれ、受信した第１データフローリクエストメッセージと受信した第２データフローリクエストメッセージとに従って複製ポイント装置により確立される。第１対応関係と第２対応関係とは、対応関係テーブルに格納されてもよい。
【００５７】
［実施例９］
図９に示されるように、他の方法の実施例は以下の通りである。
９０１．複製ポイント装置が、第１ユーザの第１データフローリクエストメッセージを受信する。
９０２．複製ポイント装置が、第１ユーザからのデータフローリクエストメッセージに従ってサーバからデータフローを取得する。
９０３．複製ポイント装置が、サーバにより送信されたデータフローを受信する。
９０４．複製ポイント装置が、２つの同一の第１データフローを生成する第１データフローを複製する。複製ポイント装置が、２つの同一の第１データフローの一方を第１ユーザに送信し、２つの同一の第１データフローの他方をキャッシュする。ここで、キャッシュされたデータフローの各ビットのキャッシュ期間は、同一の所定の期間の値を有する。
９０５．複製ポイント装置が、第２ユーザの第２データフローリクエストメッセージを受信する。ここで、第２ユーザの第２データフローリクエストメッセージは同一のデータフローを要求し、複製ポイント装置にキャッシュされたデータフローの何れのビットも破棄されないという条件下で受信される。
９０６．複製ポイント装置が、第１ユーザとデータフローとの間の第１対応関係と、
第２ユーザとデータフローとの間の第２対応関係とに従って、キャッシュされたデータフローを第２ユーザに送信する。
【００５８】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００５９】
［実施例１０］
本実施例は、データフロー再利用送信のための方法を提供する。図１０に示されるように、本方法は以下を含む。
１００１．サーバが、所定の期間内に第１ユーザのための第１データフローを要求するのに使用される第１データフローリクエストメッセージを受信する。ここで、所定の期間はスタート時間とエンド時間との間の期間であり、スタート時間とエンド時間とが含まれる。
１００２．サーバが、第１データフローリクエストメッセージの受信後に所定の期間内に第２ユーザのための第１データフローを要求するのに使用される第２データフローリクエストメッセージを受信する。
１００３．サーバが、現在時間がエンド時間に到達した後に複製ポイント装置に第１データフローを送信する。
１００４．複製ポイント装置が、２つの同一の第１データフローを生成する第１データフローを複製する。
１００５．複製ポイント装置が、２つの同一の第１データフローの一方を第１ユーザに送信し、２つの同一の第１データフローの他方を第２ユーザに送信する。
【００６０】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００６１】
［実施例１１］
本発明の実施例は、サーバと複製ポイント装置とを含むシステムに適用されるデータフロー再利用送信のための方法を提供する。図１１に示されるように、本方法は以下を含む。
１１０１．サーバが、所定の期間内に第１ユーザのための第１データフローを要求するのに使用される第１データフローリクエストメッセージを受信する。ここで、所定の期間はスタート時間とエンド時間との間の期間であり、スタート時間とエンド時間とが含まれる。
【００６２】
好ましくは、第１データフローリクエストメッセージは、第１ユーザ又は複製ポイント装置により送信される。
１１０２．サーバが、第１データフローリクエストメッセージの受信後に所定の期間内に第２ユーザのための第１データフローを要求するのに使用される第２データフローリクエストメッセージを受信する。
１１０３．サーバが、現在時間がエンド時間に到達した後に複製ポイント装置に第１データフローを送信する。
１１０４．複製ポイント装置が、２つの同一の第１データフローを生成する第１データフローを複製する。
１１０５．複製ポイント装置が、第１ユーザと第１データフローとの間の第１対応関係に従って、２つの同一の第１データフローの一方を第１ユーザに送信し、第２ユーザと第１データフローとの間の第２対応関係に従って、２つの同一の第１データフローの他方を第２ユーザに送信する。
【００６３】
好ましくは、第１対応関係と第２対応関係とはそれぞれ、受信した第１データフローリクエストメッセージと受信した第２データフローリクエストメッセージとに従ってサーバにより確立される。第１対応関係と第２対応関係とは、対応関係テーブルに格納されてもよい。
【００６４】
第１対応関係と第２対応関係とがサーバにより確立される場合、サーバは、複製ポイント装置に第１対応関係と第２対応関係とを送信する必要がある。
【００６５】
［実施例１２］
図１２に示されるように、他の方法の実施例は以下の通りである。
１２０１．サーバが、所定の期間内に第１ユーザの第１データフローリクエストメッセージを受信する。ここで、所定の期間はスタート時間とエンド時間との間の期間であり、スタート時間とエンド時間とが含まれる。
１２０２．サーバが、第１ユーザの第１データフローリクエストメッセージの受信後に所定の期間内に第２ユーザにより送信された第２データフローリクエストメッセージを受信する。ここで、第２ユーザの第２データフローリクエストメッセージは、同一のデータフローを要求するのに使用される。
１２０３．サーバが、現在時間がエンド時間に到達した後に複製ポイント装置にデータフローと、第１ユーザ、第２ユーザ及びデータフローの間の対応関係とを送信する。複製ポイント装置が、２つの同一のデータフローを生成するデータフローを複製する。複製ポイント装置が、第１ユーザとデータフローとの間の第１対応関係と、第２ユーザとデータフローとの間の第２対応関係とに従って、２つの同一のデータフローの一方を第１ユーザに送信し、２つの同一のデータフローの他方を第２ユーザに送信する。
【００６６】
好ましくは、第１対応関係と第２対応関係とはそれぞれ、受信した第１データフローリクエストメッセージと受信した第２データフローリクエストメッセージとに従ってサーバにより確立される。第１対応関係と第２対応関係とは、対応関係テーブルに格納されてもよい。
【００６７】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００６８】
［実施例１３］
本実施例は、データフロー再利用送信のための方法を提供する。図１３に示されるように、本方法は以下の通りである。
１３０１．サーバが、所定の期間内に第１ユーザのための第１データフローを要求するのに使用される第１データフローリクエストメッセージを受信する。ここで、所定の期間はスタート時間とエンド時間との間の期間であり、スタート時間とエンド時間とが含まれる。
１３０２．サーバが、第１データフローリクエストメッセージに従って複製ポイント装置に第１データフローを送信する。
１３０３．複製ポイント装置が、第１ユーザに第１データフローを送信し、第１データフローを複製及びキャッシュする。
１３０４．サーバが、所定の期間内に第２ユーザのための第１データフローを要求するのに使用される第２データフローリクエストメッセージを受信する。
１３０５．複製ポイント装置が、サーバからの通知の受信後に第１データフローの既存部分を複製する。ここで、既存部分は、第２データフローリクエストメッセージの受信後にサーバにより複製ポイント装置に送信される第１データフローの部分である。
１３０６．複製ポイント装置が、第２ユーザに複製された既存部分を送信する。
１３０７．複製ポイント装置が、サーバが第２データフローリクエストメッセージを受信する前にキャッシュされた第１データフローを第２ユーザに送信する。
【００６９】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００７０】
［実施例１４］
本実施例は、サーバと複製ポイント装置とを含むシステムに適用されるデータフロー再利用送信のための方法を提供する。図１４に示されるように、本方法は以下の内容を含む。
１４０１．サーバが、所定の期間内に第１ユーザのための第１データフローを要求するのに使用される第１データフローリクエストメッセージを受信する。ここで、所定の期間はスタート時間とエンド時間との間の期間であり、スタート時間とエンド時間とが含まれる。
１４０２．サーバが、第１データフローリクエストメッセージに従って複製ポイント装置に第１データフローを送信する。
１４０３．複製ポイント装置が、第１ユーザと第１データフローとの間の第１対応関係に従って、第１ユーザに第１データフローを送信し、第１データフローを複製及びキャッシュする。
１４０４．サーバが、所定の期間内に第２ユーザのための第１データフローを要求するのに使用される第２データフローリクエストメッセージを受信する。
１４０５．複製ポイント装置が、サーバからの通知の受信後に第１データフローの既存部分を複製する。ここで、既存部分は、第２データフローリクエストメッセージの受信後にサーバにより複製ポイント装置に送信される第１データフローの部分である。
１４０６．複製ポイント装置が、第２ユーザと第１データフローとの間の第２対応関係に従って、第２ユーザに複製された既存部分を送信する。
１４０７．複製ポイント装置が、第２ユーザと第１データフローとの間の第２対応関係に従って、サーバが第２データフローリクエストメッセージを受信する前にキャッシュされた第１データフローを第２ユーザに送信する。
【００７１】
好ましくは、第１対応関係と第２対応関係とはそれぞれ、受信した第１データフローリクエストメッセージと受信した第２データフローリクエストメッセージとに従ってサーバ又は複製ポイント装置により確立される。第１対応関係と第２対応関係とは、対応関係テーブルに格納されてもよい。
【００７２】
第１対応関係と第２対応関係とがサーバにより確立される場合、サーバは、第１対応関係と第２対応関係とを複製ポイント装置に送信する必要がある。
【００７３】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００７４】
［実施例１５］
図１５に示されるように、他の方法の実施例は以下の通りである。
１５０１．複製ポイント装置が、所定の期間内に第１ユーザの第１データフローリクエストメッセージを受信する。ここで、所定の期間はスタート時間とエンド時間との間の期間であり、スタート時間とエンド時間とが含まれる。
１５０２．サーバが、第１ユーザの第１データフローリクエストメッセージに従って複製ポイント装置にデータフローを送信する。複製ポイント装置が、第１ユーザに第１データフローを送信し、第１データフローを複製及びキャッシュする。
１５０３．サーバが、所定の期間内に第２ユーザの第２データフローリクエストメッセージを受信する。ここで、第２ユーザの第２データフローリクエストメッセージは、同一のデータフローを要求するのに使用される。
１５０４．サーバが、第１ユーザ、第２ユーザ及びデータフローの間の対応関係を複製ポイント装置に送信する。複製ポイント装置が、データフローの既存部分を複製する。ここで、第２データフローリクエストメッセージの受信後にサーバにより複製ポイント装置に送信されるデータフローの部分である。複製ポイント装置が、第２ユーザと第１データフローとの間の第２対応関係に従って、第２ユーザに複製された既存部分を送信し、第２データフローリクエストメッセージを受信する前にキャッシュされたデータフローを第２ユーザに送信する。
【００７５】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００７６】
［実施例１６］
本実施例は、データフロー再利用送信のための方法を提供する。図１６に示されるように、本方法は以下の内容を含む。
１６０１．サーバが、第１ユーザのための第１データフローを要求するのに使用される第１データフローリクエストメッセージを受信する。
１６０２．サーバが、第１データフローリクエストメッセージに従って複製ポイント装置に第１データフローを送信する。
１６０３．複製ポイント装置が、２つの同一の第１データフローを生成する第１データフローを複製する。
１６０４．複製ポイント装置が、２つの同一の第１データフローの一方を第１ユーザに送信し、２つの同一の第１データフローの他方をキャッシュする。ここで、キャッシュされたデータフローの各ビットのキャッシュ期間は、同一の所定の期間の値を有する。
１６０５．サーバが、第２ユーザのための第１データフローを要求するのに使用される第２データフローリクエストメッセージを受信する。
１６０６．複製ポイント装置が、サーバからの通知の受信後に２つの同一のキャッシュされたデータフローを生成するキャッシュされたデータフローを複製する。
１６０７．２つの同一のキャッシュされたデータフローの一方を第２ユーザに送信する。
【００７７】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００７８】
［実施例１７］
本実施例は、サーバと複製ポイント装置とを含むシステムに適用されるデータフロー再利用送信のための方法を提供する。図１７に示されるように、本方法は以下の内容を含む。
１７０１．サーバが、第１ユーザのための第１データフローを要求するのに使用される第１データフローリクエストメッセージを受信する。
１７０２．サーバが、第１データフローリクエストメッセージに従って複製ポイント装置に第１データフローを送信する。
１７０３．複製ポイント装置が、２つの同一の第１データフローを生成する第１データフローを複製する。
１７０４．複製ポイント装置が、第１ユーザと第１データフローとの間の第１対応関係に従って、２つの同一の第１データフローの一方を第１ユーザに送信する。複製ポイント装置が、２つの同一の第１データフローの他方をキャッシュする。ここで、キャッシュされたデータフローの各ビットのキャッシュ期間は、同一の所定の期間の値を有する。
１７０５．サーバが、第２ユーザのための第１データフローを要求するのに使用される第２データフローリクエストメッセージを受信する。
１７０６．複製ポイント装置が、サーバからの通知の受信後に２つの同一のキャッシュされたデータフローを生成するキャッシュされたデータフローを複製する。
１７０７．複製ポイント装置が、第２ユーザと第１データフローとの間の第２対応関係に従って、２つの同一のキャッシュされたデータフローの一方を第２ユーザに送信する。
【００７９】
好ましくは、第１対応関係と第２対応関係とはそれぞれ、受信した第１データフローリクエストメッセージと受信した第２データフローリクエストメッセージとに従ってサーバ又は複製ポイント装置により確立される。第１対応関係と第２対応関係とは、対応関係テーブルに格納されてもよい。
【００８０】
第１対応関係と第２対応関係とがサーバにより確立される場合、サーバは、複製ポイント装置に第１対応関係と第２対応関係とを送信する必要がある。
【００８１】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００８２】
［実施例１８］
図１８に示されるように、他の方法の実施例は以下の通りである。
１８０１．サーバが、第１ユーザの第１データフローリクエストメッセージを受信する。
１８０２．サーバが、第１ユーザの第１データフローリクエストメッセージに従って複製ポイント装置にデータフローを送信する。複製ポイント装置が、２つの同一のデータフローを生成するデータフローを複製する。複製ポイント装置が、２つの同一のデータフローの一方を第１ユーザに送信し、２つの同一のデータフローの他方をキャッシュする。ここで、キャッシュされたデータフローの各ビットのキャッシュ期間は、同一の所定の期間の値を有する。
１８０３．サーバが、第２ユーザの第２データフローリクエストメッセージを受信する。ここで、第２ユーザの第２データフローリクエストメッセージは、同一のデータフローを要求するのに使用される。
１８０４．サーバが、第１ユーザ、第２ユーザ及びデータフローの間の対応関係を複製ポイント装置に送信する。複製ポイント装置が、第２ユーザとデータフローとの間の第２対応関係に従って、キャッシュされたデータフローを第２ユーザに送信する。
【００８３】
従来技術と比較して、本発明の一態様により提供されるデータフロー再利用送信のための方法は、複数の装置上で複雑なマルチキャストプロトコルを実行することを要求せず、よりシンプルでより効率的なデータフロー再利用を実現可能である。
【００８４】
［実施例１９］
本実施例は、複製ポイント装置を提供する。図１９に示されるように、複製ポイント装置は、
所定の期間内に第１ユーザにより送信された第１データフローリクエストメッセージを受信するよう構成される第１受信部１９０１であって、第１データフローリクエストメッセージは第１データフローを要求するのに使用され、所定の期間はスタート時間とエンド時間との間の期間であり、スタート時間とエンド時間とが含まれ、
第１受信部１９０１は更に、第１データフローリクエストメッセージの受信後に所定の期間内に第２ユーザにより送信された第２データフローリクエストメッセージを受信するよう構成され、第２データフローリクエストメッセージは第１データフローを要求するのに使用され、
現在時間がエンド時間に到達した後にサーバから第１データフローを要求するよう構成される第１要求部１９０２であって、第１受信部１９０１は更に、サーバから第１データフローを受信するよう構成される、第１要求部１９０２と、
２つの同一の第１データフローを生成する第１データフローを複製するよう構成される第１複製部１９０３と、
２つの同一の第１データフローの一方を第１ユーザに送信し、２つの同一の第１データフローの他方を第２ユーザに送信するよう構成される第１送信部１９０４と、
を有する。
【００８５】
好ましくは、図２０に示されるように、複製ポイント装置は、
第１データフローリクエストメッセージと第２データフローリクエストメッセージとのそれぞれに従って、第１ユーザと第１データフローとの間の第１対応関係と、第２ユーザと第１データフローとの間の第２対応関係とを確立するよう構成される第１確立部１９０５を更に有する。
【００８６】
更に、第１送信部１９０４は、第１ユーザと第１データフローとの間の第１対応関係と、第２ユーザと第１データフローとの間の第２対応関係とに従って、２つの同一の第１データフローの一方を第１ユーザに送信し、２つの同一の第１データフローの他方を第２ユーザに送信するよう構成される。
【００８７】
従来技術と比較して、本発明の一態様により提供される複製ポイント装置は、複数の装置上で複雑なマルチキャストプロトコルを実行することを要求せず、よりシンプルでより効率的なデータフロー再利用を実現可能である。
【００８８】
［実施例２０］
本実施例は、複製ポイント装置を提供する。図２１に示されるように、複製ポイント装置は、
所定の期間内に第１ユーザにより送信された第１データフローリクエストメッセージを受信するよう構成される第２受信部２１０１であって、第１データフローリクエストメッセージは第１データフローを要求するのに使用され、所定の期間はスタート時間とエンド時間との間の期間であり、スタート時間とエンド時間とが含まれる、第２受信部２１０２と、
第１データフローリクエストメッセージに従ってサーバから第１データフローを取得するよう構成される第１取得部２１０２と、
第１データフローを第１ユーザに送信するよう構成される第２送信部２１０３と、
第１データフローを複製するよう構成される第２複製部２１０４と、
第１データフローをキャッシュするよう構成される第１キャッシュ部２１０５と、
を有する複製ポイント装置であって、
第２受信部２１０２は更に、所定の期間内に第２ユーザにより送信された第２データフローリクエストメッセージを受信するよう構成され、第２データフローリクエストメッセージは第１データフローを要求するのに使用され、
第２複製部２１０４は更に、第１データフローの既存部分を複製するよう構成され、既存部分は、第２データフローリクエストメッセージの受信後に当該複製ポイント装置により受信される第１データフローの部分であり、
第２送信部２１０３は更に、複製された既存部分を第２ユーザに送信するよう構成され、
第２送信部２１０３は更に、第２データフローリクエストメッセージの受信前にキャッシュされた第１データフローを第２ユーザに送信するよう構成される。
【００８９】
好ましくは、図２２に示されるように、複製ポイント装置は更に、
第１データフローリクエストメッセージと第２データフローリクエストメッセージとのそれぞれに従って、第１ユーザと第１データフローとの間の第１対応関係と、第２ユーザと第１データフローとの間の第２対応関係とを確立するよう構成される第２確立部２１０６を有する。
【００９０】
更に、第２送信部２１０３は、第１対応関係に従って第１データフローを第１ユーザに送信し、第２対応関係に従って複製された既存部分を第２ユーザに送信し、第２対応関係に従って第２データフローリクエストメッセージの受信前にキャッシュされた第１データフローを第２ユーザに送信するよう構成される。
【００９１】
従来技術と比較して、本発明の一態様により提供される複製ポイント装置は、複数の装置上で複雑なマルチキャストプロトコルを実行することを要求せず、よりシンプルでより効率的なデータフロー再利用を実現可能である。
【００９２】
［実施例２１］
本実施例は、複製ポイント装置を提供する。図２３に示されるように、複製ポイント装置は、
第１ユーザにより送信される第１データフローリクエストメッセージを受信するよう構成される第３受信部２３０１であって、第１データフローリクエストメッセージは第１データフローを要求するのに使用される、第３受信部２３０１と、
第１データフローリクエストメッセージに従ってサーバから第１データフローを取得するよう構成される第２取得部２３０２と、
２つの同一の第１データフローを生成する第１データフローを複製するよう構成される第３複製部２３０３と、
２つの同一の第１データフローの一方を第１ユーザに送信するよう構成される第３送信部２３０４と、
２つの同一の第１データフローの他方をキャッシュするよう構成される第２キャッシュ部２３０５であって、キャッシュされるデータフローの各ビットのキャッシュ期間は同一の所定の期間の値を有する、第２キャッシュ部２３０５と、
を有する複製ポイント装置であって、
第３受信部２３０１は更に、第２ユーザにより送信された第２データフローリクエストメッセージを受信するよう構成され、第２データフローリクエストメッセージは第１データフローを要求するのに使用され、
第３複製部２３０３は更に、２つの同一のキャッシュされたデータフローを生成するキャッシュされたデータフローを複製するよう構成され、
第３送信部２３０４は更に、２つの同一のキャッシュされたデータフローの一方を第２ユーザに送信し、キャッシュされた第１データフローを第２ユーザに送信するよう構成される。
【００９３】
好ましくは、図２４に示されるように、複製ポイント装置は更に、
第１データフローリクエストメッセージと第２データフローリクエストメッセージとのそれぞれに従って、第１ユーザと第１データフローとの間の第１対応関係と、第２ユーザと第１データフローとの間の第２対応関係とを確立するよう構成される第３確立部２３０６を有する。
【００９４】
更に、第２データフローリクエストメッセージは、当該複製ポイント装置にキャッシュされたデータフローの何れのビットも破棄されない条件下で受信される。
【００９５】
従来技術と比較して、本発明の一態様により提供される複製ポイント装置は、複数の装置上で複雑なマルチキャストプロトコルを実行することを要求せず、よりシンプルでより効率的なデータフロー再利用を実現可能である。
【００９６】
［実施例２２］
本実施例は、データフロー再利用送信のためのシステムを提供する。図２５に示されるように、本システムは、複製ポイント装置２５０１とサーバ２５０２とを有し、
サーバ２５０２は、所定の期間内に第１ユーザのための第１データフローを要求するのに使用される第１データフローリクエストメッセージを受信するよう構成され、所定の期間はスタート時間とエンド時間との間の期間であり、スタート時間とエンド時間とが含まれ、第１データフローリクエストメッセージの受信後に所定の期間内に第２ユーザのための第１データフローを要求するのに使用される第２データフローリクエストメッセージを受信し、現在時間がエンド時間に到達した後に第１データフローを複製ポイント装置に送信するよう構成され、
複製ポイント装置２５０１は、２つの同一の第１データフローを生成する第１データフローを複製し、２つの同一の第１データフローの一方を第１ユーザに送信し、２つの同一の第１データフローの他方を第２ユーザに送信するよう構成される。
【００９７】
好ましくは、本システムは更に、複製ポイント装置又はサーバが更に、第１データフローリクエストメッセージと第２データフローリクエストメッセージとに従って、第１ユーザと第１データフローとの間の第１対応関係と、第２ユーザと第１データフローとの間の第２対応関係とを確立する。
【００９８】
好ましくは、複製ポイント装置２５０１が更に、第１対応関係と第２対応関係とに従って、２つの同一の第１データフローの一方を第１ユーザに送信し、２つの同一の第１データフローを第２ユーザに送信するよう構成される。
【００９９】
従来技術と比較して、本発明の一態様により提供されるデータフロー再利用送信のためのシステムは、複数の装置上で複雑なマルチキャストプロトコルを実行することを要求せず、よりシンプルでより効率的なデータフロー再利用を実現可能である。
【０１００】
［実施例２３］
本実施例は、データフロー再利用送信のためのシステムを提供する。図２６に示されるように、本システムは、複製ポイント装置とサーバとを有し、
サーバ２６０２は、所定の期間内に第１ユーザのための第１データフローを要求するのに使用される第１データフローリクエストメッセージを受信するよう構成され、所定の期間はスタート時間とエンド時間との間の期間であり、スタート時間とエンド時間とが含まれ、サーバ２６０２は、第１データフローリクエストメッセージに従って第１データフローを複製ポイント装置に送信するよう構成され、
複製ポイント装置２６０１が、第１データフローを第１ユーザに送信し、第１データフローを複製及びキャッシュするよう構成され、
サーバ２６０２が更に、所定の期間内に第２ユーザのための第１データフローを要求するのに使用される第２データフローリクエストメッセージを受信するよう構成され、
複製ポイント装置２６０１が更に、サーバからの通知の受信後に第１データフローの既存部分を複製するよう構成され、既存部分は、第２データフローリクエストメッセージの受信後にサーバにより複製ポイント装置に送信された第１データフローの部分であり、複製ポイント装置は更に、複製された既存部分を第２ユーザに送信し、サーバが第２データフローリクエストメッセージの受信前にキャッシュされた第１データフローを第２ユーザに送信するよう構成される。
【０１０１】
好ましくは、本システムは更に、
複製ポイント装置又はサーバが更に、第１データフローリクエストメッセージと第２データフローリクエストメッセージとのそれぞれに従って、第１ユーザと第１データフローとの間の第１対応関係と、第２ユーザと第１データフローとの間の第２対応関係とを確立する。
【０１０２】
好ましくは、複製ポイント装置２６０１が更に、第１対応関係及び第２対応関係に従って、２つの同一の第１データフローの一方を第１ユーザに送信し、２つの同一の第１データフローの他方を前記第２ユーザに送信するよう構成される。
【０１０３】
従来技術と比較して、本発明の一態様により提供されるデータフロー再利用送信のためのシステムは、複数の装置上で複雑なマルチキャストプロトコルを実行することを要求せず、よりシンプルでより効率的なデータフロー再利用を実現可能である。
【０１０４】
［実施例２４］
本実施例は、データフロー再利用送信のためのシステムを提供する。図２７に示されるように、本システムは、複製ポイント装置２７０１とサーバ２７０２とを有し、
サーバ２７０２が、第１ユーザから第１データフローを要求するのに使用される第１データフローリクエストメッセージを受信し、第１データフローリクエストメッセージに従って第１データフローを複製ポイント装置に送信するよう構成され、
複製ポイント装置２７０１が、２つの同一の第１データフローを生成する第１データフローを複製し、２つの同一の第１データフローの一方を第１ユーザに送信し、２つの同一の第１データフローの他方をキャッシュするよう構成され、キャッシュされたデータフローの各ビットのキャッシュ期間は、同一の所定の期間の値を有し、
サーバ２７０２が更に、第２ユーザのための第１データフローを要求するのに使用される第２データフローリクエストメッセージを受信するよう構成され、
複製ポイント装置２７０１が更に、サーバからの通知の受信後に２つの同一のキャッシュされたデータフローを生成するキャッシュされたデータフローを複製し、２つの同一のキャッシュされたデータフローの一方を第２ユーザに送信するよう構成される。
【０１０５】
好ましくは、本システムは更に、
複製ポイント装置又はサーバが、第１データフローリクエストメッセージと第２データフローリクエストメッセージとのそれぞれに従って、第１ユーザと第１データフローとの間の第１対応関係と、第２ユーザと第１データフローとの間の第２対応関係とを確立する。
【０１０６】
好ましくは、複製ポイント装置２７０１は更に、第１対応関係に従って２つの同一の第１データフローの一方を第１ユーザに送信し、第２対応関係に従って２つの同一のキャッシュされたデータフローの一方を第２ユーザに送信するよう構成される。
【０１０７】
好ましくは、第２データフローリクエストメッセージは、複製ポイント装置にキャッシュされたデータフローの何れのビットも破棄されない条件下で受信される。
【０１０８】
従来技術と比較して、本発明の一態様により提供されるデータフロー再利用送信のためのシステムは、複数の装置上で複雑なマルチキャストプロトコルを実行することを要求せず、よりシンプルでより効率的なデータフロー再利用を実現可能である。
【０１０９】
本発明の一態様により提供される複製ポイント装置とデータフロー再利用送信のためのシステムとは、上述した方法の実施例を実現可能である。当該機能の実現形態の詳細な説明のため、方法の実施例の説明が参照されてもよく、詳細はここでは再度説明されない。本発明の一態様により提供される方法、複製ポイント装置及びデータフロー再利用送信のためのシステムは、限定することなく、ビデオサービス及びラージファイルダウンロードサービスに適用されてもよい。
【０１１０】
当業者は、実施例の方法の処理の全て又は一部が関連するハードウェアに指示するコンピュータプログラムにより実現されてもよいことを理解するであろう。当該プログラムは、コンピュータ可読記憶媒体に格納されてもよい。プログラムが実行されると、実施例の方法の処理が実行される。ここで、当該記憶媒体は、磁気テープ、光ディスク、ＲＯＭ（Ｒｅａｄ−Ｏｎｌｙ  Ｍｅｍｏｒｙ）又はＲＡＭ（Ｒａｎｄｏｍ  Ａｃｃｅｓｓ  Ｍｅｍｏｒｙ）であってもよい。
【０１１１】
上記説明は、単に本発明の特定の実施例であり、本発明の保護範囲を限定することを意図するものでない。本発明の技術的範囲内の何れかの変形又は置換は、本発明の保護範囲に属することは、当業者により容易に理解されるであろう。従って、本発明の保護範囲は、請求項の保護範囲に従う。
【図１】
0005823615.tif 000002
【図２】
0005823615.tif 000003
【図３】
0005823615.tif 000004
【図４】
0005823615.tif 000005
【図５】
0005823615.tif 000006
【図６】
0005823615.tif 000007
【図７】
0005823615.tif 000008
【図８】
0005823615.tif 000009
【図９】
0005823615.tif 000010
【図１０】
0005823615.tif 000011
【図１１】
0005823615.tif 000012
【図１２】
0005823615.tif 000013
【図１３】
0005823615.tif 000014
【図１４】
0005823615.tif 000015
【図１５】
0005823615.tif 000016
【図１６】
0005823615.tif 000017
【図１７】
0005823615.tif 000018
【図１８】
0005823615.tif 000019
【図１９】
0005823615.tif 000020
【図２０】
0005823615.tif 000021
【図２１】
0005823615.tif 000022
【図２２】
0005823615.tif 000023
【図２３】
0005823615.tif 000024
【図２４】
0005823615.tif 000025
【図２５】
0005823615.tif 000026
【図２６】
0005823615.tif 000027
【図２７】
0005823615.tif 000028